(57)【要約】      （修正有）【課題】水滴がかかる状況でも携帯電子機器を安心して使用でき、また使用しない場合にはコンパクトに折り畳むことができる携帯電子機器用防水ケースを提供する。【解決手段】防水ケースは、携帯電子機器６０を密閉収納可能な収納部１７であって、携帯電子機器を密閉収納した状態において、携帯電子機器の画面側が透明な樹脂シート１２ａ〜１２ｄとなっている収納部と、空気口１５を備え、この空気口から空気を導入した際にエアクッションとして機能すると共に前記収納部と連結したエアクッション部１１とからなる。【選択図】図２
2012206754.tif 000002
【特許請求の範囲】
【請求項１】
携帯電子機器を密閉収納可能な収納部であって、携帯電子機器を密閉収納した状態において、携帯電子機器の画面側が透明な樹脂シートとなっている収納部と、
空気口を備え、この空気口から空気を導入した際にエアクッションとして機能すると共に前記収納部と連結したエアクッション部とからなる携帯電子機器用防水ケース。
【発明の詳細な説明】
【技術分野】
【０００１】
本発明は、携帯電子機器を収納する防水ケースに関するものであり、特に、防水機能と本体の保護機能を合わせ持つと共に、軽量で且つ使用しない場合にはコンパクトに折り畳むことができる携帯電子機器用防水ケースに関する。
【背景技術】
【０００２】
近年、電子ブックリーダーと呼ばれる電子書籍を閲覧するための端末が急速に普及し始めている。この電子ブックリーダーは携帯性に優れており、また多くの書籍を格納できる為、紙の書籍にはない新たな使い勝手を提供している。
【０００３】
形態としては、電子書籍専用端末としての実装されたものもあるが、タブレット型コンピュータとして実装され、電子書籍の閲覧以外の一般的なアプリケーションの実行も可能となっているものもある。また、多くの電子ブックリーダーには、通信機能が搭載されており新たな電子書籍のダウンロードが可能となっている。
【０００４】
一方、一般にスマートフォンと呼ばれる、携帯電話と携帯情報端末 (PDA) を融合させた携帯端末も普及し始めている。この携帯端末は、通常の音声通話やメールなどの簡単な通信機能だけでなく、本格的なネットワーク機能、スケジュール・個人情報の管理、趣味のアプリケーションやゲームなど、多種多様な機能を持っている。
【０００５】
これら近年に普及し始めている携帯電子機器の多くは、画面を使ったマルチタッチスクリーン方式のインターフェイスを備えている。従って、キーパッドを省略でき、より小型で携帯性が高く、アウトドアでの使用にも適した態様となっている。また、携帯時に利用出来るキャリングケースも提案されている（特許文献１）。
【先行技術文献】
【特許文献】
【０００６】
【特許文献１】特開平１０−１６７３４８号公報
【発明の概要】
【発明が解決しようとする課題】
【０００７】
しかしながら、一般に携帯電子機器には防水処置は施されておらず、水滴がかかる状況では不安が残る。例えば、ビーチサイドや風呂場のようなところに持ち込むと、故障の原因となることがある。これは、急速に広がる携帯電子機器の応用分野を考えると、甚だ不便な状況と言わざるをえない。
【０００８】
そこで、本発明の目的は、水滴がかかる状況でも携帯電子機器を安心して使用でき、また使用しない場合にはコンパクトに折り畳むことができる携帯電子機器用防水ケースを提供することである。
【課題を解決するための手段】
【０００９】
上記課題を解決するために、本発明の携帯電子機器用防水ケースは、携帯電子機器を密閉収納可能な収納部であって、携帯電子機器を密閉収納した状態において、携帯電子機器の画面側が透明な樹脂シートとなっている収納部と、空気口を備え、この空気口から空気を導入した際にエアクッションとして機能すると共に前記収納部と連結したエアクッション部とからなっている。
【発明の効果】
【００１０】
本発明に係わる携帯電子機器用防水ケースによれば、防水機能と本体の保護機能を合わせ持つと共に、軽量で且つ使用しない場合には折り畳んでコンパクトに収納できるという効果を奏する。また、このようなケースを利用すれば、放射性物質を含んだチリなどが携帯電子機器本体に付着したり、僅かな隙間を通って内部に入り込み、長く所有者へ放射線を出し続けてしまうといった危惧が無くなる。
【図面の簡単な説明】
【００１１】
【図１】図１は、本発明の実施例１に係る携帯電子機器用防水ケースを示す平面図である。
【図２】図２は、図１のＡ−Ａ線に沿った携帯電子機器用防水ケースの断面図である。
【図３】図３は、図１のＢ−Ｂ線に沿った携帯電子機器用防水ケースの断面図である。
【図４】図４は、図１の携帯電子機器用防水ケースの製造方法を説明する平面図である。
【図５】図５は、図１の携帯電子機器用防水ケースの製造方法を説明する平面図である。
【図６】図６は、図５のＡ−Ａ線に沿った携帯電子機器用防水ケースの製造方法を説明する断面図である。
【図７】図７は、図１の携帯電子機器用防水ケースの製造方法を説明する平面図である。
【図８】図８は、図７のＡ−Ａ線に沿った断面図であり、製造の途中過程の状態を示す。
【図９】図９は、図７のＡ−Ａ線に沿った断面図である。
【図１０】図１０は、本発明の実施例２に係る携帯電子機器用防水ケースを示す平面図である。
【図１１】図１１は、図１０のＡ−Ａ線に沿った断面図である。
【図１２】図１２は、図１０の携帯電子機器用防水ケースの製造方法を説明する平面図である。
【図１３】図１３は、図１０の携帯電子機器用防水ケースの製造方法を説明する平面図である。
【図１４】図１４は、図１０の携帯電子機器用防水ケースの製造方法を説明する断面図である。
【図１５】図１５は、図１０の携帯電子機器用防水ケースの製造方法を説明する平面図である。
【図１６】図１６は、図１０の携帯電子機器用防水ケースの製造方法を説明する断面図である。
【図１７】図１７は、本発明の実施例３に係る携帯電子機器用防水ケースを示す平面図である。
【図１８】図１８は、図１７のＡ−Ａ線に沿った断面図である。
【図１９】図１９は、図１７のＢ−Ｂ線に沿った断面図である。
【図２０】図２０は、図１７のＡ−Ａ線に沿った断面図であり、携帯電子機器を気密に収納し、エアクッション部に空気を充填した状態を示している。
【図２１】図２１は、図１７の携帯電子機器用防水ケースの製造工程を説明する図である。
【図２２】図２２は、図１７の携帯電子機器用防水ケースの製造工程を説明する図である。
【図２３】図２３は、図１７の携帯電子機器用防水ケースの製造工程を説明する図である。
【図２４】図２４は、図１７の携帯電子機器用防水ケースの別の製造工程を説明する図である。
【図２５】図２５は、図２６の携帯電子機器用防水ケースの変形例を示している。
【図２６】図２６は、本発明の実施例４に係る携帯電子機器用防水ケース本体を示す平面図である。
【図２７】図２７は、図２６のＡ−Ａ線に沿った断面図である。
【図２８】図２８は、図２６のＢ−Ｂ線に沿った断面図である。
【図２９】図２９は、携帯電子機器を気密に収納し、図２６のケース本体に固定する為の密閉パックの平面図である。
【図３０】図３０は、図２６の携帯電子機器用防水ケースに携帯電子機器を気密に収納し、透明カバーで画面側を覆っている状態を示している。
【図３１】図３１は、図２６の携帯電子機器用防水ケースに携帯電子機器を気密に収納し、透明カバーで画面反対側を覆っている状態を示している。
【図３２】図３２は、図２６の携帯電子機器用防水ケースの変形例を示している。
【図３３】図３３は、図３２のＡ−Ａ線に沿った断面図である。
【図３４】図３４は、図３２のＢ−Ｂ線に沿った断面図であり、実際に携帯電子機器が収納され、使用可能な状態を示している。
【図３５】図３５は、図２６の携帯電子機器用防水ケースの別の変形例を示している。
【図３６】図３６は、図３５のＡ−Ａ線に沿った断面図である、実際に携帯電子機器が収納され、使用可能な状態を示している。
【図３７】図３７は、本発明の実施例５に係る携帯電子機器用防水ケースを示す平面図１８である。
【図３８】図３８は、図３７のＡ−Ａ線に沿った断面図である。
【図３９】図３９は、図３８のＢ−Ｂ線に沿った断面図である。
【図４０】図４０は、図３８のＣ−Ｃ線に沿った断面図であり、実際に携帯電子機器が収納され、使用可能な状態を示している。
【発明を実施するための形態】
【００１２】
以下、添付図面を参照しながら本発明の実施形態による携帯電子機器用防水ケースを説明する。利用する携帯電子機器としては、タブレット型コンピュータ、一般にスマートフォンと呼ばれるタッチパネル付きの多機能携帯電話、電子書籍ビューワーなどがある。ここでの携帯電子機器としては、一方の面に、液晶や有機ＥＬによる表示画面を備えており、この画面を使ったマルチタッチスクリーン方式のインターフェイスが実装されているものを想定する。
【実施例１】
【００１３】
図１は、本発明の実施例１に係る携帯電子機器用防水ケース１０を示す平面図である。また、図２は、図１のＡ−Ａ線に沿った断面図である。図３は、図１のＢ−Ｂ線に沿った断面図である。特に、ここでは携帯電子機器用防水ケース１０には、携帯電子機器を気密に収納された状態で示されている。
【００１４】
この携帯電子機器用防水ケース１０は、４枚の透明な合成樹脂製のシート１２ａ、１２ｂ、１２ｃ、１２ｄを重ねて縁部を接続することで作成されている。図２の右側の二枚のシート１２ａ、１２ｂは上下の縁部が接続されており、内部に密閉空間が形成されている。ただし、外側のシート１２ａには空気口１５が設けられており、ユーザーはそこから空気を吹きこんで、密閉空間をふくらませることでエアクッション部１１とすることができる。
【００１５】
真ん中の２枚のシート１２ｂ、１２ｃは、左右および下の縁部が溶着されている。そして、その上部には互いに接着可能な線ファスナー１３が設けられており、これを閉じることによって完全に密閉された収納部１７が形成される。最も左側のシート１２ｄは、シート１２ｃと上下の縁部が接続されているが、後述の製造方法の場合には、図１の左側の縁部が接続しているものの、右側の縁部ではエアクッション部１１と連通している。しかし、携帯電子機器６０に対応する面（図１の一点鎖線内部の面）については、シート１２ｃ、１２ｄは接着しており、内部に空気が入ることはない。この為、携帯電子機器の画面を使ったタッチ操作に支障はない。
【００１６】
線ファスナー１３は、食品保存袋などに利用されているものと同様のレール状の線ファスナーであり、水密気密性を高めるために並列に二本（１３ａ、１３ｂ）設けられている。また、合成樹脂製のシートは、利用目的を考慮し、タッチパネルの操作に支障のない範囲で食品保存袋よりも厚めの素材が用いられている。
【００１７】
次に、この携帯電子機器用防水ケース１０の製造方法を説明する。図４は、一枚の透明な合成樹脂製のシート１２であり、上記４枚のシート１２ａ、１２ｂ、１２ｃ、１２ｄに対応している。シート１２の中央やや左側に線ファスナー１３が予め設けられている。また、左下中央よりには空気口１５が予め設けられている。線ファスナー１３と空気口１５は、図３で見て紙面の表側に対応する面に設けられている。
【００１８】
まず、図４のラインＬ１に沿って、線ファスナー１３が表、空気口１５が裏側に位置するようにして、シート１２を図の左右方向２つに折る。その状態を、図５の平面図に示す。図６は、図５のＡ−Ａ線に沿った断面図である。ここで、図５、図６で一点鎖線の矩形で示された部分の内部で、上下二枚を接着させる。そして、図５、図６のように２つに折られたシート１２を、図５のラインＬ２に沿って、線ファスナー１３が対応するようにして上下に更に折り返す。
【００１９】
都合４つに折られた状態を図７に示す。図７のＡ−Ａ線に沿った断面図を図８に示す。ここで、線ファスナー１３が係合した状態で、隙間が無いように折り目のところで部分的に溶着する。更に、図７で、左側の縁部と上側の縁部を溶着する（図９）。これにより、図１、図２に示した携帯電子機器用防水ケース１０が完成する。
【００２０】
なお、携帯電子機器には内蔵カメラが設けられていることがある。多くの場合、タッチパネルとは反対の面にカメラが位置している。その場合には、透明なエアクッション越しに撮影することになる。タッチパネルと同じ面の場合には、透明なシート越しに撮影することになる。
【実施例２】
【００２１】
図１０は、本発明の実施例１１に係る携帯電子機器用防水ケース２０を示す平面図である。また、図１１は、図１０のＡ−Ａ線に沿った断面図である。特に、ここでは携帯電子機器用防水ケース２０には、携帯電子機器を気密に収納された状態で示されている。
【００２２】
この携帯電子機器用防水ケース２０は、４枚の透明な合成樹脂製のシート２２ａ、２２ｂ、２２ｃ、２２ｄを重ねて縁部を溶着することで作成されている。図１１の右側の二枚のシート２２ａ、２２ｂは上下左右の縁部が溶着されており、内部に密閉空間が形成されている。ただし、外側のシート２２ａには空気口２５が設けられており、ユーザーはそこから空気を吹きこんで、密閉空間をふくらませることでエアクッション部２１とすることができる。
【００２３】
真ん中の２枚のシート２２ｂ、２２ｃは、左右および下の縁部が溶着されている。そして、その上部には互いに接着可能な線ファスナー２３が設けられており、これを閉じることによって完全に密閉された収納部２７が形成される。最も左側のシート２２ｄは、シート２２ｃと共に、携帯電子機器６０の画面を保護する機能を有する。
【００２４】
次に、この携帯電子機器用防水ケース２０の製造方法を説明する。図１２は、一枚の透明な合成樹脂製のシート２２であり、左右の下半分に線ファスナー２３が予め設けられている。また、右上には空気口２５が予め設けられている。線ファスナー２３と空気口２５は、図１２で見て紙面の表側に対応する面に設けられている。
【００２５】
線ファスナー２３は、食品保存袋などに利用されているものと同様のレール状の線ファスナーであり、水密気密性を高めるために並列に二本（２３ａ、２３ｂ）設けられている。また、合成樹脂製のシートは、利用目的を考慮し、タッチパネルの操作に支障のない範囲で食品保存袋よりも厚めの素材が用いられている。
【００２６】
まず、図１３に示したように、線ファスナー２３が上、空気口２５が下側に位置するようにして、シート２２を図の上下２つに折る。そして、空気口２５に隣接する線ファスナー２３の更に外側の縁に沿って、折り重なったシート２２を図面上下方向に溶着する。同時に、中央でも折り重なったシート２２を図面上下方向に溶着する。すなわち、ラインＬ１とラインＬ２に沿って、折り重なったシート２２を接着する。図１４は、接着した状態を示す図１３のＡ−Ａ線に沿った断面図である。
【００２７】
次に、図１３や図１４のように２つに折られたシート２２を、線ファスナー２３が対応するようにして更に折り返す。すなわち、２つに折られたシート２２を、今度はラインＬ２に沿って更に折り返す。図１５はそのように折り返した後の平面図である。すなわち、シート２２を、都合４つに折ることで図１０のシート２２ａ、２２ｂ、２２ｃ、２２ｄとなる。図１６は、図１５のＡ−Ａ線に沿った断面図である。最後に、図１５のラインＬ３に沿って、線ファスナー２３と直角となる２つの縁部を４枚を纏めて溶着し、完全に接着させる。これにより、図１０、図１１に示した携帯電子機器用防水ケース２０が完成する。
【実施例３】
【００２８】
図１７は、本発明の実施例１２に係る携帯電子機器用防水ケース３０を示す平面図である。また、図１８は、図１７のＡ−Ａ線に沿った断面図、図１９は、図１７のＢ−Ｂ線に沿った断面図である。更に、図２０は、図１９と同様に図１７のＡ−Ａ線に沿った断面図であるが、携帯電子機器を気密に収納し、エアクッション部に空気を充填した状態を示している。
【００２９】
すなわち、この携帯電子機器用防水ケース３０は、３枚の透明な合成樹脂製のシートを重ねて溶着することで作成されている。真ん中のシートを挟んで二つの密閉空間が形成されている。一つは空気口３５が設けられており、そこから空気を充填することの可能なエアクッション部３１であり、もう一つは、上端が線ファスナー３３を閉じることによって密閉される収納部３７である。
【００３０】
線ファスナー３３は、食品保存袋などに利用されているものと同様のレール状の線ファスナーであり、水密気密性を高めるために並列に二本（３３ａ、３３ｂ）設けられている。また、合成樹脂製のシートは、利用目的を考慮し、タッチパネルの操作に支障のない範囲で食品保存袋よりも厚めの素材が用いられている。
【００３１】
使用に当たって、まずユーザーは携帯電子機器６０を収納部３７に収納する。この際、携帯電子機器６０の操作側（タッチスクリーン方式の表示画面）が外側となるようにして、なるべく空気が内部に残らないようにして、線ファスナー３３を閉じる。次に、空気口３５から空気を吹きこんで、エアクッション部３１を十分にふくらませる。
【００３２】
このようにすることで、エアクッション部３１が衝撃を和らげると共に、タッチパネルをシート越しに操作することが可能となる。また、水中で使用する場合には、防水の効果に加え、エアクッション部３１の浮力によって携帯電子機器６０が水中に沈んでしまうことがないという効果もある。
【００３３】
図２１、図２２および図２３は、この携帯電子機器用防水ケース３０の製造工程を説明する図である。ここで、図２１は、空気口３５が設けられた合成樹脂製のシートを示している。また、図２２および図２３は、互いに接着可能な線ファスナー３３が上端に設けられた合成樹脂製のシートを示している。これら３枚のシートの外形は、略同一である。
【００３４】
まず、空気口３５と線ファスナー３３を外側にして、図２１および図２２のシートを重ね合わせる。次に、ラインＬ１に沿って、二つのシートを溶着する。これら溶着された二つのシートの上に、更に図２３のシートを重ね合わせる。図２２および図２３のシートの線ファスナー３３が互いに接着可能なように位置合わせを行って、ラインＬ２〜Ｌ４に沿って、三つのシートを溶着する。これにより、携帯電子機器用防水ケース３０が完成する。
【００３５】
実際の製造では、図２４に示したような大きなシートを３枚使用して、複数の防水ケースを一度に作成するようにする。そして、最後にダイスカットによって、個々のケースに切り離すようにすることで製造効率を上げることができる。また、変形例として、図２５に示したように線ファスナー３３の延長上にシートを長くしておき、エアクッション部３１側に折り曲げて、面ファスナー３３ｃで止めるようにしてもよい。この場合、線ファスナー３３が外れる危険性が小さくなる。
【実施例４】
【００３６】
図２６は、本発明の実施例１３に係る携帯電子機器用防水ケース本体４０を示す平面図である。また、図２７は、図２６のＡ−Ａ線に沿った断面図、図２８は、図２６のＢ−Ｂ線に沿った断面図である。更に、図２９は、携帯電子機器を気密に収納し、ケース本体４０に固定する為の密閉パック５０の平面図である。図２８及び図２９では、便宜上、携帯電子機器６０の収納された密閉パック５０が載置された状態の図となっている。
【００３７】
携帯電子機器用防水ケース本体４０は、コの字形のエアクッション部４１と、このエアクッション部４１の内側から中心方向に伸びたサポート部４３，４５，４７とからなっている。エアクッション部４１には、ユーザーが口で息を吹き込むことで膨らませることができるように、空気口４９が設けられている。使用していない時には、空気口４９から空気を排出すれば、よりコンパクトに収納ができる。また、図２７の断面図に示されているように、エアクッション部４１は、携帯電子機器を支持した状態で、携帯電子機器の面に直角な方向により厚みを持った形状となっている。
【００３８】
サポート部は、水平に伸びた二本の弾性バンド４３，４５と、下から上方向へ伸びた一本の弾性バンド４７からなっている。各弾性バンドは、ゴム弾力を備えた合成繊維で作られており、表面に面ファスナー４３ｆ，４５ｆ，４７ｆが設けられている。
【００３９】
また、水平に伸びた二本の弾性バンドは、携帯電子機器が載置された状態で、左右の面ファスナーが中心方向に引っ張られるような状態となっている。これは、収納可能な携帯電子機器の大きさに幅を持たせるためである。また、携帯電子機器の画面上で密閉パック５０が裏側方向に引っ張られることにより、画面の閲覧や操作が容易となる効果もある。
【００４０】
携帯電子機器を収納する密閉パック５０は、食品保存袋などに利用されているものと同様のレール状の線ファスナー５０ｆを備えた樹脂製の透明な袋である。ここでは、水密気密性を高めるために並列に二本設けられている。また、利用目的を考慮し、タッチパネルの操作に支障のない範囲で食品保存袋よりも厚めの素材が用いられている。更に、密閉パック５０の片面には、サポート部の面ファスナー４３ｆ，４５ｆ，４７ｆと貼り付け可能な面ファスナー５１ｆが設けられている。
【００４１】
密閉パック５０のサイズは、収納する携帯電子機器がぴったりと収まる大きさとなっている。携帯電子機器の横断面周囲の長さをＬとした場合、密閉パック５０の横方向の長さをＬ／２２とすると隙間がない状態となる。縦方向についても同様である。しかしこれでは、ユーザーが、携帯電子機器の収納に不便である。入れやすくする為に２２％乃至２５％程密閉パック５０が大きくなっていることが望ましい。ただし、携帯電子機器に比較して密閉パック５０が大きすぎると、使用時に拠れてしまい携帯電子機器の画面の閲覧や操作に影響をあたえるので望ましくない。また、複数の密閉パック５０を備えておき、利用する携帯電子機器に適したものを用いると便利である。
【００４２】
使用に当たって、まずユーザーは携帯電子機器６０を密閉パック５０に収納する。密閉パック５０の面ファスナーの設けられていない側の面が、携帯電子機器６０の操作側となるようにする。そして、空気を残さないようにして、二本の線ファスナーを閉じて密閉する。
【００４３】
次に、密閉パック５０とコの字形のエアクッション部４１の面ファスナーを向かい合わせて貼り付けるようにして、携帯電子機器の入った密閉パック５０をエアクッション部４１の中に載置する。この際、弾性バンドのゴム弾力によって、携帯電子機器６０の画面上で密閉パック５０が引っ張られるようにする。これによって、上記のとおり画面側のシートが裏側方向に引っ張られて、画面とシートがぴったりと密着でき、閲覧や操作が容易となる。
【００４４】
なお、エアクッション部４１の左側面には、樹脂製の透明カバー４０ｃが設けられている。携帯電子機器６０を搭載した状態で持ち運ぶ際には、この透明カバー４０ｃを図３０に示すように、携帯電子機器６０の画面側を覆うようにして、エアクッション部４１の右側面まで伸ばして係止しておく。このようにすることで、携帯電子機器６０の画面を保護することができる。
【００４５】
使用時には、この透明カバー４０ｃを図３１に示すように、携帯電子機器６０の画面側を覆うように裏返し、エアクッション部４１の右側面まで伸ばして係止しておく。このようにすることで、携帯電子機器の操作が可能となる。ただし、図３０に示した状態でも、透明カバー４０ｃ越しに画面の視認は可能である。
【００４６】
図３２は、上記実施形態の一つの変形例を示す平面図である。また、図３３は、図３２のＡ−Ａ線に沿った断面図、図３４は、図３２のＢ−Ｂ線に沿った断面図であるが、実際に携帯電子機器が収納され、使用可能な状態を示している。
【００４７】
この変形例では、弾性バンド９０は全体が面ファスナーであり、図３４の左右方向から中心方向に伸びた５つの部分と、下から上方向へ伸びた部分とからなっている。そして、それらの先端部分は重なり合うこと無く、中央部に隙間が空いている。これは、エアクッション部４１の横幅を可変とすることにより、収納可能な携帯電子機器（密閉パック）の大きさに幅を持たせるためである。
【００４８】
また、図３５は、上記実施形態の別の変形例を示す平面図である。また、図３６は、図３５のＡ−Ａ線に沿った断面図であるが、実際に携帯電子機器が収納され、使用可能な状態を示している。この変形例では、エアクッション部７０に、二本の線ファスナーを有する密閉パック７２が初めから備えられている。具体的には、エアクッション部７０と一体的に設けられている矩形シート７４に密閉パック７２が接着剤で貼りつけられている。このようにすることで、ユーザーは、エアクッション部と密閉パックを組み合わせる手間が省ける。
【実施例５】
【００４９】
図３７は、本発明の実施例５に係る携帯電子機器用防水ケース８０を示す平面図である。また、図３８は、図３７のＡ−Ａ線に沿った断面図、図３９は、図３７のＢ−Ｂ線に沿った断面図である。更に、図４０は、図３７のＣ−Ｃ線に沿った断面図である。図３８及び図３９は、分かりやすいように内部をふくらませた状態で図示している。また、図４０は、実際に携帯電子機器が収納され、使用可能な状態で図示している。
【００５０】
携帯電子機器用防水ケース８０は、主に密閉パック８２からなっている。この密閉パック８２は、食品保存袋などに利用されているものと同様のレール状の線ファスナー８０ｆを備えた樹脂製の透明な袋である。ここでは、水密気密性を高めるために並列に二本設けられている。
【００５１】
密閉パック８２の内側には、左右と下部が接着され、携帯電子機器の収納スペースＳを形成する矩形シート８４が設けられている。この矩形シート８４の上端と、これに対応する密閉パック８２の内側には、互いに接着可能な面ファスナー８１ｆ、８３ｆが設けられており、携帯電子機器６０を収納した後に収納スペースＳの上端を閉じることができる。
【００５２】
やはり、この収納スペースＳのサイズは、収納する携帯電子機器がぴったりと収まる大きさとなっている。ただし、収納スペースＳには水密気密性は要求されないので、面ファスナー８１ｆ、８３ｆによって収納した携帯電子機器が飛び出さないようになっている。これは、面ファスナーはワンタッチで閉じることができるので、線ファスナーよりも使い勝手が優っているからである。
【００５３】
更に、面ファスナー８１ｆの設けられていない側の矩形シート８４の中央面には、面ファスナー８４ｆが設けられている。そして、この面ファスナー８４ｆと対抗する密閉パック８２の内面には面ファスナー８５ｆが設けられており、互いに接着可能となっている。
【００５４】
使用に当たって、まずユーザーは携帯電子機器６０を収納スペースＳに収納する。携帯電子機器６０の操作側が、密閉パック５０の面に向きあうようにする。そして、密閉パック５０に空気が入った状態で、線ファスナー８０ｆを閉じて内部を密閉する。ここで密閉パック５０に入った空気は、後述のエアクッション部が形成される程度の量となる必要があるが、面ファスナー８４ｆ、８５ｆの接着面積によって調整できるので使用毎に変動があっても問題はない。
【００５５】
その後、携帯電子機器バック５０の反対側から指で面ファスナー８５ｆを押し込んで、矩形シート８４の面ファスナー８４ｆと接着させる。これにより、携帯電子機器６０の周囲にエアクッション部が形成される。また、内部の圧力によって、矩形シート８４が面ファスナー８４ｆと共に引っ張られるので、画面とシートがぴったりと密着でき、閲覧や操作が容易となる。
【００５６】
なお、上記実施例１１乃至１４において、実際に携帯電子機器が収納され使用可能な状態となっている場合に、全体の比重が約１となるようにエアクッション部の大きさが選択されていれば、水中でバランスが取れることになる。この場合、携帯電子機器を用いて水中写真を取るような際に好都合である。また、全体の比重が１１よりも小さければ、水面に浮かべて利用することも可能となる。また、これらの携帯電子機器用防水ケースは、使用しない場合にはエアクッションの空気を排出することで、非常に小さく折りたたむことができる。
【産業上の利用可能性】
【００５７】
以上のように、本発明による携帯電子機器用防水ケースは、防水機能と保護機能を合わせ持つと共に、軽量で且つ使用しない場合には折り畳んでコンパクトに収納できるので、様々な用途に有用である。
【符号の説明】
【００５８】
１０、２０、３０ 携帯電子機器用防水ケース
１２ａ、１２ｂ、１２ｃ、１２ｄ 合成樹脂製シート
２２ａ、２２ｂ、２２ｃ、２２ｄ 合成樹脂製シート
２１，３１ エアクッション部
１３、２３、３３ 線ファスナー
３３ｃ 折り曲げ部分
１５、２５、３５、４９ 空気口
１７、２７、３７ 収納部
４０ 携帯電子機器用防水ケース本体
４０ｃ 透明カバー
１１、４１ エアクッション部
４３，４５，４７ サポート部
４３ｆ，４５ｆ，４７ｆ，５２ｆ 面ファスナー
５０，８２ 密閉パック
５０ｆ，８０ｆ 線ファスナー
６０ 携帯電子機器
７０ エアクッション部
７２ 密閉パック
７４，８４ 矩形シート
８０ 携帯電子機器用防水ケース
８４ｆ、８５ｆ、８０ｆ、８６ｆ 面ファスナー
９０ 弾性バンド
【図１】
2012206754.tif 000003
【図２】
2012206754.tif 000004
【図３】
2012206754.tif 000005
【図４】
2012206754.tif 000006
【図５】
2012206754.tif 000007
【図６】
2012206754.tif 000008
【図７】
2012206754.tif 000009
【図８】
2012206754.tif 000010
【図９】
2012206754.tif 000011
【図１０】
2012206754.tif 000012
【図１１】
2012206754.tif 000013
【図１２】
2012206754.tif 000014
【図１３】
2012206754.tif 000015
【図１４】
2012206754.tif 000016
【図１５】
2012206754.tif 000017
【図１６】
2012206754.tif 000018
【図１７】
2012206754.tif 000019
【図１８】
2012206754.tif 000020
【図１９】
2012206754.tif 000021
【図２０】
2012206754.tif 000022
【図２１】
2012206754.tif 000023
【図２２】
2012206754.tif 000024
【図２３】
2012206754.tif 000025
【図２４】
2012206754.tif 000026
【図２５】
2012206754.tif 000027
【図２６】
2012206754.tif 000028
【図２７】
2012206754.tif 000029
【図２８】
2012206754.tif 000030
【図２９】
2012206754.tif 000031
【図３０】
2012206754.tif 000032
【図３１】
2012206754.tif 000033
【図３２】
2012206754.tif 000034
【図３３】
2012206754.tif 000035
【図３４】
2012206754.tif 000036
【図３５】
2012206754.tif 000037
【図３６】
2012206754.tif 000038
【図３７】
2012206754.tif 000039
【図３８】
2012206754.tif 000040
【図３９】
2012206754.tif 000041
【図４０】
2012206754.tif 000042